(57)【要約】【課題】常時携行することが可能で、必要なときに取り出して身の回りに置いておき、ティッシュペーパなどの簡易なゴミをその都度収納することができる上、廃棄する際には開口部を簡便に塞ぐことのできるコンパクトで体裁の良い自立性収納袋を提供。【解決手段】プラスチックのシート若しくはフィルムの何れか一の対向辺それぞれの中央を結ぶ線を境目として、両側をそれぞれ奇数回ずつ折畳み、他の対向辺相互を重ね合わせた後、折畳んだ両側の縁部それぞれと接合することにより形成され、該境目から両側の折り目までが底部、奇数回ずつ折畳んだ部分が伸縮自在な側部、重ね合わせた該他の対向辺が開閉自在な開口部となる。【選択図】図１
2019001596.tif 000002
【特許請求の範囲】
【請求項１】
プラスチックのシート若しくはフィルムの何れか一の対向辺それぞれの中央を結ぶ線を境目として、両側をそれぞれ奇数回ずつ折畳み、他の対向辺相互を重ね合わせた後、折畳んだ両側の縁部それぞれと接合することにより形成され、該境目から両側の折り目までが底部、奇数回ずつ折畳んだ部分が伸縮自在な側部、重ね合わせた該他の対向辺が開閉自在な開口部となることを特徴とする自立性収納袋。
【請求項２】
前記境目の両側に山折部が対峙すると共に前記他の対向辺それぞれが該山折部に重なるように、前記一の対向辺それぞれを少なくとも３回ずつ折畳むことを特徴とする請求項１記載の自立性収納袋。
【請求項３】
前記シート若しくは前記フィルムは、熱可塑性樹脂若しくは生分解性樹脂を素材とするものであって、前記縁部と前記他の対向辺の両端とが溶着接合されることを特徴とする請求項１記載の自立性収納袋。
【請求項４】
重ね合わせた前記他の対向辺相互を拡開して前記開口部を開き、前記側部を伸張させて被収納物を収納し、前記縁部それぞれを反対方向に引っ張ることにより該開口部を閉じることを特徴とする請求項１記載の自立性収納袋。
【発明の詳細な説明】
【技術分野】
【０００１】
本発明は、折畳んで携行し、身の回りに置いてゴミ等を収納し、そのまま廃棄することができる自立性収納袋に関するものである。
【背景技術】
【０００２】
風邪をひいたたり、花粉症にかかるなどして鼻水が止まらないとき、身の周りにいつの間にかティッシュペーパの山ができることがある。また、化粧台や車内など、身近なところにゴミ入れ等がないために廃棄物の捨て場に困ることがある。
そこで、様々な態様のゴミ袋が提案されている。例えば、遠足等の屋外活動中に排出されるゴミやペットの散歩中に排泄物を始末する際に使用するゴミ袋はサイズが大きすぎて携帯に不便であることから、上部に握持孔を有し、折畳んだ袋体をポケットサイズの包袋に複数収納した携帯用ゴミ袋が開示されている（特許文献１）。
また、自動車内で食事をすることやティッシュペーパを使用する機会も多いので、車内にティッシュペーパを常備するのが一般的である。しかしながら、ゴム袋の収納箱は日常生活で使用されているものの、ゴミ袋が車内に常備されることは極めてまれである。そこで、ゴミ袋を収納した箱体を自動車内に簡易に取り付けられるようにした箱体状収納具が開示されている（特許文献２）。
さらに、ゴミ袋を収納する包み袋を開封すると即座にゴミ袋を使用することができ、また、持ち運ぶときの持ち易さとゴミを捨てるとき、鳥や虫の悪戯を防ぐために袋の口を閉じることができる携帯用ゴミ袋が開示されている（特許文献３）。
また、ゴミ袋は、開口の両端を結び開口を封じた状態で廃棄するのが一般的であるため、ゴミ袋への収納量が犠牲になっている。さらに、ゴミ収集時にその開口の結び目がほどけてゴミが散乱したり水漏れがあるため、ゴミ収集所の環境悪化を招いていることから、開口部にミシン目で形成される紐体と舌片と開口穴とを設けることで、ゴミ出し用、ゴミ箱用、吊持用、携帯用として多目的に使用できるゴミ袋が開示されている（特許文献４）。
【先行技術文献】
【特許文献】
【０００３】
【特許文献１】特開２０００−２５９０１号公報
【特許文献２】特開２００９−４５９６２号公報
【特許文献３】実用新案登録第３１４５０７４号公報
【特許文献４】特許第５２４０６３７号公報
【発明の概要】
【発明が解決しようとする課題】
【０００４】
しかしながら、上記のゴミ袋などは、ゴミをまとめて収納する際には有効であっても、絶えず携行し、必要な時に身の回りに配置しておいて、少しずつ収納するには不便である。
本発明は、上記事情に鑑み、常時携行することが可能で、必要なときに取り出して身の回りに置いておき、ティッシュペーパなどの簡易なゴミをその都度収納することができる上、廃棄する際には開口部を簡便に塞ぐことのできるコンパクトで体裁の良い自立性収納袋を提供することを目的とする。
【課題を解決するための手段】
【０００５】
本発明の自立性収納袋は、プラスチックのシート若しくはフィルムの何れか一の対向辺それぞれの中央を結ぶ線を境目として、両側をそれぞれ奇数回ずつ折畳み、他の対向辺相互を重ね合わせた後、折畳んだ両側の縁部それぞれと接合することにより形成され、該境目から両側の折り目までが底部、奇数回ずつ折畳んだ部分が伸縮自在な側部、重ね合わせた該他の対向辺が開閉自在な開口部となることを特徴とする。
このように、シート若しくはフィルムの一方の対向する辺それぞれを奇数回折畳み、他方の辺相互を重ね合わせて接合してあり、一定の大きさの底部があるので、身の回りに常時置いておいて、必要の都度、開口部を開いてゴミ等を収納すれば、開口部が自然に閉じ始めるので、衛生的で、見た目もよい。
そして、上記境目の両側に山折部が対峙すると共に上記他の対向辺それぞれが該山折部に重なるように、上記一の対向辺それぞれを少なくとも３回ずつ折畳むので、側部が蛇腹状で伸張し易く、収納物の量が多くなってもそれに対応することができる。
上記シート若しくは上記フィルムは、熱可塑性樹脂若しくは生分解性樹脂を素材とするものであって、上記縁部と上記他の対向辺の両端とがヒートシーラーで容易に溶着接合することができる。
さらに、重ね合わせた上記他の対向辺相互を拡開して上記開口部を開き、上記側部を伸張させて被収納物を収納し、上記縁部それぞれを反対方向に引っ張ることにより該開口部を閉じることもできるので、ごみ等が飛び出るのを防ぐことができる。
【発明の効果】
【０００６】
本発明の自立性収納袋は、コンパクトで携行に便利であり、身の回りに配置して必要な都度ゴミ等を収納することができる。また、常態は開口部が閉じているので、開口部の辺縁を拡開してゴミ等を収納するが、開口部は自然に閉じ始めるので、体裁がよいうえ、衛生的である。さらにある程度収納物が溜まったら、袋ごとゴミ入などに捨てることができ、ゴミ入に投入する際には、開口部をきちんと閉じることもできるので、ゴミ等が飛び出すのを抑止できる。
【図面の簡単な説明】
【０００７】
【図１】図１は、本実施形態の自立性収納袋の一例を示す平面図である。
【図２】図２は、本実施形態の自立性収納袋の一例を示す側面図である。
【図３】図３は、シート若しくはフィルムが折畳まれる個所を示す図である。
【図４】図４は、内側の谷折と山折とを行った状態を示す図である。
【図５】図５は、すべての個所を折畳んで形成された折畳体の平面図である。
【図６】図６は、折畳体の縁部の模式図である。
【図７】図７は、本実施形態の自立性収納袋の平面を示す図である
【図８】図８は、本実施形態の自立性収納袋の側面を斜め上方から見た図である。
【発明を実施するための形態】
【０００８】
以下に、本発明の自立性収納袋の実施形態について説明する。
図１及び図２は、本実施形態の自立性収納袋の一例を示す図であり、図１は平面を示す図、図２は側面を示す図である。
図１及び図２に示すように本実施形態の自立性収納袋１は、プラスチック製の矩形シート若しくは矩形フィルムの対向している辺（以下、「対向辺」という。）のうちの一の対向辺８，９それぞれの中央を結ぶ線を境目２として、その両側をそれぞれ３回ずつ折畳み、折畳んでいない他の対向辺６，７相互を重ね合わせて矩形の折畳体５をつくり、その折畳体５の上端と下端に当る、折畳んだ両側の縁部８ａ，８ｂそれぞれを溶着接合して形成される。
従って、境目２から両側の折り目（谷折部）までの矩形部分が底部１０となり、3回折畳んだ部分が伸縮自在な側部１１となり、折畳まない他の対向辺６，７を重ね合わせた部分が開閉自在な開口部１２となっている。
開口部１２は、重ね合わせた他の対向辺の両端６ａ，７ａが折畳んだ一の対向辺８，９方の縁部８ａ、９ａと一緒に溶着接合されているので、常時は閉じている。しかし、重ね合わせた他の対向辺６，７の中間は溶着接合されていないので、重ね合わせた他の対向辺６，７それぞれを両手で掴んで矢印Ａ，Ｂ方向に拡げれば開口部１２を開くことができる。その場合、他の対向辺の両端６ａ，７ａは縁部８ａ，９ａと共に溶着接合されているので、他の対向辺の両端６ａ，７ａが重なった状態で保持されており、掴んだ手を離すと、閉じる力が作用して緩やかに閉じる。
また、側部１１の外面側には、２つの山折部３と１つの谷折部４とが形成されており、開口部１２に挿入した手で底部１０を矢印Ｃ方向に押すと側部１１が伸張し、内部にごみ等を収納する空間が形成される。
その収納空間にある程度のごみ等が収納された状態で、溶着接合されている縁部８ａ，９ａを引っ張れば、開口部１２をきちんと閉じることができる．
本実施形態の自立性収納袋１は矩形シート若しくは矩形フィルムを使用して作成しているが、必ずしも矩形である必要はなく、方形であってもよい。また、対向する辺は、直線である必要はなく、特に、重ね合わせる他の対向辺は、弓形、三角形、半円形、鋸歯状形などであってもよい。
【０００９】
図３から図６は、本実施形態の自立性収納袋の構造を理解するための概略工程を示す図であり、図３は、シート若しくはフィルムが折畳まれる個所を示す図、図４は、内側の谷折と山折とを行った状態を示す図、図５は、すべての個所を折畳み、形成された折畳体の平面を示す図、図６は、折畳体の上端又は下端の縁部を示す模式図である。
図３に一例を示すシート若しくはフィルムは、熱可塑性樹脂を素材とするもので、一の対向辺８，９の中央を境目２として、対向する２つの山折部３と、背向する４つの谷折部４とを形成するために、谷折する個所を一点鎖線で表示し、山折する個所を二点鎖線で表示したものである。これらの鎖線でシート若しくはフィルムを折畳むと境目２から谷折部４までを底部１０とする折畳体（図５に示す）が形成される。
ここで一例を示すシート若しくはフィルムは、高密度ポリエチレンをダイで押出成形したものを上下でカットしたものを用いているが、必ずしもこれに限定する必要はなく、長尺フィルムの両側を折畳んだ後に上下を所定のサイズにカットして、熱溶着加工してもよい。
高密度ポリエチレンは、買い物袋、ごみ袋に多用されるなど強度があるうえ、フィルムを重ね合わせた状態で熱板を押し当てると容易に溶着接合することができるという性質がある。
【００１０】
図４に示す態様は、シート若しくはフィルムの最も内側にある一点鎖線で表示された個所を谷折し、そのすぐ外側にある二点鎖線で表示された個所を山折したものである。従って、両側に形成された山折部３が境目２を挟んで対峙している。
【００１１】
図５に示す態様は、図４において一点鎖線で表示されている個所を谷折して形成された折畳体５を示している。図５から明らかなように、シート若しくはフィルムの他の対向辺６，７相互が重なり合い、なおかつ他の対向辺６，７それぞれが、対向する山折部３（図に現われない）にも重なった状態となる。
【００１２】
図６に示す態様は、折畳体５の上端又は下端に当る縁部を模式的に示している。本実施形態における折畳体５は、シート若しくはフィルムの一の対向辺８，９それぞれを中央の境目２の両側をそれぞれ３回ずつ折畳んで形成されるので、山折部３が左右に１つずつ形成され、谷折部４が左右２つずつ形成されている。そして、左右の山折部３は、非接触状態で対峙し、他方の対向辺６，７は、相互に重なり合うと共に、山折部３とも重なっている。
このようにシート若しくはフィルムが重なり合った状態の折畳体５の縁部８ａ，９ａをヒートシーラーなどで溶着して接合すると、本実施形態の自立性収納袋ができる。
その場合、ダイで押出成形された長尺フィルムを所定サイズでカットせずに、両側を連続的に折畳み、所定の長さ毎にシーラーで溶着した後、切断する方法を用いれば、効率的に自立性収納袋２０を製造することができる。
ここで、本実施形態のシート若しくはフィルムは両側を３回ずつ折畳まれ、折畳体５の両側それぞれに山折部３が１つずつ形成されるが、折畳む回数は奇数回であれば３回に限定する必要はなく、５回にしてもよい。その場合、折畳む回数をＮとすれば、矩形体５の両側それぞれに、山折部３が（Ｎ−２）個、谷折部４が（Ｎ―１）個形成される。
【００１３】
図７及び図８は、本実施形態の自立性収納袋の使用方法を示す図であり、図８は自立性収納袋の平面を示す図、図９は、側面を斜め上方から見た図である。
本実施形態の自立性収納袋１にゴミ等を収納する場合は、開口部１２の重ね合わせた他の対向辺６，７それぞれを両手で掴んで矢印Ａ，Ｂ方向に開くことによりごみ等を収納する開口が開き、開口から底部１０が見える。また、開口部１２から手を入れて側部１１を上下に矢印Ｄ方向に伸張すれば、ごみ等を収納する空間が拡大する。また、矩形の底部１０は、一定の大きさがあり、座りがよい。
その場合、他の対向辺６，７の両端６ａ，７ａは縁部８ａ，９ａと共に溶着接合されているので、他の対向辺６，７は、両端６ａ，７ａが重なった状態で保持されている。従って、そのまま放置すれば、閉じる力が作用し緩やかに閉じる。
また、収納する空間にある程度のゴミ等が収納された後、ごみ等を捨てる場合は、縁部８ａ，９ａを引っ張れば、開口部１２がきちんと閉じるので、そのままゴミ入などに投入すれば、内部のゴミ等が飛散することがない。
【産業上の利用可能性】
【００１４】
コンパクトなので、行楽地やイベント会場、あるいは身近かな場所や自動車内などに配置してごみ等の収納に使用するほか、細かな物が散乱しないように一時収容する袋などとしても活用することができる。
【符号の説明】
【００１５】
１
２    境目
３    山折部
４    谷折部
５    折畳体
６、７    他の対向辺
６ａ，７ａ  両端
８、９    一の対向辺
８ａ，９ａ  縁部
１０    底部
１１    側部
１２    開口部
【図１】
2019001596.tif 000003
【図２】
2019001596.tif 000004
【図３】
2019001596.tif 000005
【図４】
2019001596.tif 000006
【図５】
2019001596.tif 000007
【図６】
2019001596.tif 000008
【図７】
2019001596.tif 000009
【図８】
2019001596.tif 000010
【手続補正書】
【提出日】平成30年3月12日(2018.3.12)
【手続補正１】
【補正対象書類名】明細書
【補正対象項目名】００１５
【補正方法】変更
【補正の内容】
【００１５】
１    自立性収納袋
２    境目
３    山折部
４    谷折部
５    折畳体
６、７    他の対向辺
６ａ，７ａ  両端
８、９    一の対向辺
８ａ，９ａ  縁部
１０    底部
１１    側部
１２    開口部
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
プラスチックのシート若しくはフィルムの何れか一の対向辺それぞれの中央を結ぶ線
を境目として、両側をそれぞれ奇数回ずつ折畳み、該境目の両側で対峙する山折部
に他の対向辺それぞれが重なるようにして該他の対向辺相互を重ね合わせた後、折
畳んだ両側の縁部それぞれと溶着接合することにより形成され、該境目から両側の
折り目までが底部、奇数回ずつ折畳んだ部分が伸縮自在な側部、重ね合わせた該
他の対向辺が開閉自在な開口部となることを特徴とする自立性収納袋。
【請求項２】
重ね合わせた前記他の対向辺相互を拡開して前記開口部を開き、前記側部を伸張さ
せてゴミを収納し、ある程度ゴミが溜まった後、そのまま捨てることを特徴とする請求項１記載の自立性収納袋。